(57)【要約】  車両（１）上でロードバー（３００）を支持するためのロードキャリア脚部（２）が開示される。ロードキャリア脚部（２）が、ロードキャリア脚部（２）上でロックバー（３００）を解除可能にロックするためのロック機構（２００）を備えている。さらに、ロック機構（２００）が、ロードバー（３００）がロードキャリア脚部（２）上でロックされるロック状態に自動的に復帰するように構成されている。
2021506666.tif 000002
【特許請求の範囲】
【請求項１】
車両（１）上でロードバー（３００）を支持するためのロードキャリア脚部（２）であって、
前記ロードキャリア脚部（２）が、前記ロードキャリア脚部（２）上で前記ロードバー（３００）を解除可能にロックするためのロック機構（２００）を備え、前記ロック機構（２００）が、前記ロードバー（３００）が前記ロードキャリア脚部（２）上でロックされるロック状態に自動的に復帰するように構成されていることを特徴とするロードキャリア脚部（２）。
【請求項２】
前記ロック機構（２００）が、好ましくは摩擦密着又はポジティブロックによって前記ロードバー（３００）と係合するように構成されたロック部材（２０４）と、前記ロック部材（２０４）に係合力を継続的に加えるための付勢部材（２０５）、好ましくはバネと、を備えていることを特徴とする請求項１に記載のロードキャリア脚部（２）。
【請求項３】
前記ロック部材（２０４）が、回転軸（Ａ）周りで回転可能に支持され、前記回転軸（Ａ）が、前記ロードバー（３００）の長手延在方向に対して略垂直に配置され、好ましくは前記ロードバー（３００）の幅に沿って配置されていることを特徴とする請求項２に記載のロードキャリア脚部（２）。
【請求項４】
前記ロードキャリア脚部（２）が、前記ロック機構（２００）を解除状態に移行するための操作部材（２０２）をさらに備え、前記解除状態では、前記ロードバー（３００）が、前記ロードキャリア脚部（２）からロック解除されることを特徴とする請求項２又は３に記載のロードキャリア脚部（２）。
【請求項５】
前記操作部材（２０２）が、ユーザによって前記操作部材（２０２）に加えられる解除力を、前記係合方向の反対の方向で前記ロック部材（２０４）に伝導するように構成されていることを特徴とする請求項４に記載のロードキャリア脚部（２）。
【請求項６】
前記ロック部材（２０４）が、前記ロードバー（３００）と接触するように構成されかつ前記操作部材（２０２）の第１部分（２１２）に力伝達可能に連結された係合セクション（２０６）と、前記ロードキャリア脚部（２）の支持部材（４００）上で前記ロック部材（２０４）を回転可能に支持するように構成された支持セクション（２０８）と、前記操作部材（２０２）の第２部分（２１４）に力伝達可能に連結された連結セクション（２１０）と、を備えていることを特徴とする請求項５に記載のロードキャリア脚部（２）。
【請求項７】
前記係合セクション（２０６）が、前記ロードバー（３００）の内部に配置されるように構成され、かつ前記ロードバー（３００）の内面と係合するか又は前記ロードバー（３００）の前記内面に圧力を加えるように構成されていることを特徴とする請求項６に記載のロードキャリア脚部（２）。
【請求項８】
前記ロック機構（２００）が、一端部において前記係合セクション（２０６）に連結されかつ第２端部において前記第１部分（２１２）に連結された力伝導部材（２１６）、好ましくはネジ山付きボルト又はネジを備えていることを特徴とする請求項７に記載のロードキャリア脚部（２）。
【請求項９】
前記付勢部材（２０５）が、前記力伝導部材（２１６）の周りで巻かれたコイルバネであることを特徴とする請求項８に記載のロードキャリア脚部（２）。
【請求項１０】
前記支持部材（４００）が、前記ロードバー（３００）の外面（３０２）と接触するように構成された支持部分（４０２）を備え、前記支持部分（４０２）及び前記係合セクション（２０６）が、前記支持部分（４０２）と前記係合セクション（２０６）との間で前記ロードバー（３００）の壁部分（３０４）を固定して保持するためのクランプセクションを形成することを特徴とする請求項６から９のいずれか一項に記載のロードキャリア脚部（２）。
【請求項１１】
前記支持部材（４００）が、回動部分（４０４）を備え、前記回動部分（４０４）が、好ましくは略シリンダ形状を有し、かつ前記回転軸（Ａ）周りで回動可能に前記支持セクション（２０８）を支持するように構成され、前記回動部分（４０４）及び前記支持部分（４０２）が、好ましくは一体的に形成されていることを特徴とする請求項１０に記載のロードキャリア脚部（２）。
【請求項１２】
前記ロック機構（２００）が、前記ロック部材（２０４）への前記係合力が増大させられる緊締状態をとるようにさらに構成されていることを特徴とする請求項２から１１のいずれか一項に記載のロードキャリア脚部（２）。
【請求項１３】
前記ロードキャリア脚部（２）が、前記ロードキャリア脚部（２）を前記車両（１）にクランプするためのクランプ機構（８００）をさらに備え、前記クランプ機構（８００）が、前記クランプ機構（８００）を締め付けるときに前記ロック部材（２０４）への前記係合力が増大させられるように、前記ロック機構（２００）に操作可能に連結されることを特徴とする請求項１２に記載のロードキャリア脚部（２）。
【請求項１４】
前記ロック機構（２００）が、前記ロック部材（２０４）の移動又は前記操作部材（２０２）の移動がブロックされる緊締状態をとるようにさらに構成されていることを特徴とする請求項２から１３のいずれか一項に記載のロードキャリア脚部（２）。
【請求項１５】
前記操作部材（２０２）が、操作部分（２８０）を備え、前記操作部分（２８０）が、親指で操作するように構成された少なくとも１つの押圧面（２８２）、好ましくは２つの押圧面を好ましくは備えることを特徴とする請求項４から１４のいずれか一項に記載のロードキャリア脚部（２）。
【発明の詳細な説明】
【技術分野】
【０００１】
本発明は、車両上でロードバーを支持するためのロードキャリア脚部に関する。
【背景技術】
【０００２】
車両のルーフに取り付けられた、車両のためのロードキャリアは、当技術分野において周知である。このようなロードキャリアは、典型的に、ロードバーと、ロードバーに連結されかつ車両ルーフ上でロードバーを支持するように構成されたロードキャリア脚部と、を備えている。このようなロードキャリアを取り付けるために、車両は、ロードキャリア脚部が固定され得るルーフレールを備えるか、又はロードキャリア脚部は、ルーフレールなくルーフに取り付けられるように具体的に設計され得る。
【０００３】
公知のロードキャリアでは、ロードバーは、典型的に、凹部を備え、凹部は、それらロードバーの下側でロードバーの長手方向に延在し、ロードキャリア脚部の取付セクションを収容するように構成されている。これら凹部は、所定の長さを有し、ロードバーの長手方向におけるロードバーに対するロードキャリア脚部の位置決めを可能にする。つまり、２つのロードキャリア脚部の間の距離は、それらロードキャリア脚部を凹部内で互いに対してスライドさせることによって適合させられ得る。
【０００４】
ロードキャリア脚部における凹部内でスライドする能力は、常に求められるわけではなく、特にロードキャリアが車両上で固定してクランプされる場合には求められない。ロードキャリア脚部が凹部内でスライドすることを防止するために、クランプ機構が公知であり、これらクランプ機構は、クランプ機構が操作されたときにロードキャリア脚部をロードバーに確実にクランプする。例えば、レバー操作型クランプ機構を提供することが公知であり、レバー操作型クランプ機構は、レバーが操作されたときにロードキャリア脚部をロードバーにロックする。このようなシステムは、ロードバー上でロードキャリア脚部を適切にロックすることを可能にするが、このようなシステムの操作は、しばしばユーザにあまり使いやすくない。
【発明の概要】
【発明が解決しようとする課題】
【０００５】
上記の背景を考慮して、課題は、上述した問題に対処するロードキャリア脚部を提供することである。特に、課題は、ユーザの使いやすさが高められたロードキャリア脚部を提供することである。
【課題を解決するための手段】
【０００６】
課題は、独立請求項１に記載の及び／又は以下の要旨に記載のロードキャリア脚部によって解決される。有利なさらなる形態は、以下の要旨から特定のさらなる変形が得られる従属請求項の対象である。
【０００７】
一側面によれば、車両上でロードバーを支持するためのロードキャリア脚部が提供される。ロードキャリア脚部は、ロードキャリア脚部上でロードバーを解除可能にロックするためのロック機構を備えている。さらに、ロック機構は、ロードバーがロードキャリア脚部上でロックされるロック状態に自動的に復帰するように構成されている。
【０００８】
ロードキャリア脚部の上記の形態は、ロードキャリア脚部がロードバーに取り付けられたときに、ユーザの操作によってロックが解除されないかぎりロードキャリア脚部がロードバーとロックされたままであるという利点を有する。このようにして、ロードバーに対するロードキャリア脚部の望ましくない移動が、ユーザのいかなるさらなる動作も必要なく防止される。
【０００９】
本主題との関連において、ロック状態に自動的に復帰するように構成されているとは、ロック機構が、ユーザの動作なく自然にロック状態に復帰する能力を有することを意味する。一方で、ユーザの動作は、ロック状態を解除するために必要である。このようなユーザの動作は、ロック状態を解除するためにロック機構に操作力を誘導することをもたらす、レバー、ボタン又は他の操作手段の操作であってもよい。
【００１０】
好ましくは、ロック機構は、ロードバーと係合するように構成されたロック部材と、ロック部材に係合力を継続的に加えるための付勢部材と、を備えている。
【００１１】
ロック部材と、ロック部材に係合力を加えるための付勢部材と、を使用することによって、ロードキャリア脚部の上述した能力が、シンプルかつコスト効率のよい構造で達成される。
【００１２】
通常、ロック部材は、ロードバーと係合するように構成されたいかなる手段であってもよい。好ましくは、ロック部材は、摩擦密着又はポジティブロックによってロードバーと係合するように構成される。本主題との関連において、摩擦密着は、ロック部材とロードバーとの間のロックが、ロック部材とロードバーとの間の摩擦に起因して達成される状況に関連する。形状嵌合とも称されるポジティブロックは、ロック部材とロードバーとの間のロックが、ロック部材が、ロードバーのための隣接部を形成し、従ってロードバーの移動を防止する位置に導かれる係合によって達成される状況に関連する。
【００１３】
付勢部材は、バネであってもよい。しかしながら、通常、ロック部材に力を継続的に加えるように構成された他の手段を使用することが可能である。このような手段は、必ずしも単一の要素である必要はなく、弾性要素及び力伝導要素からなる機構又はロック部材に連結された機構であってもよい。このような力伝導要素は、例えばバー又はワイヤである。
【００１４】
好ましくは、ロック部材は、回転軸周りで回転可能に支持される。従って、ロック部材は、ロードバー上でロードキャリア脚部をロック及びロック解除するために、回転軸周りで回転させられ得る。回転軸は、ロードバーの長手延在方向に対して略垂直に配置され得る。例えば、ロック部材は、シーソーのような方式で、すなわち単一の回動点によって支持され得る。このために、ロック部材は、回動ピン又は回動ピンを収容するための開口部を備えることができる。回動ピンは、ロック部材と一体的に形成されるか、又はロック部材と一体的に回転するためにロック部材に連結され得る。一方で、回動ピンが、回転不可能に固定され、ロック部材が、回動ピンに対して回転するように構成され得る。回動ピンの代わりに、ロック部材の後の移動を可能にする任意の適切な支持部が使用され得る。例えば、シリンダ形状の支持面が、設けられ、ロック部材の少なくとも一部分が、支持面上において、回転軸周りでスライドする。
【００１５】
回転軸は、ロードバーの幅に沿って配置され得、これは、本主題との関連において、回転軸が、上述したロードキャリア脚部及びロードバーを備えるロードキャリアが車両に取り付けられたときに、車両の長手方向に延びることができることを意味する。幅方向は、ロードバーの長手延在方向に対して略垂直な方向であって、互いに所定距離離間して車両のルーフに取り付けられた２つのロードバーによって規定される搭載平面に対して略平行である、方向としても定義される。
【００１６】
好ましくは、ロードキャリア脚部は、ロック機構を解除状態に移行するための操作部材をさらに備え、解除状態では、ロードバーが、ロードキャリア脚部からロック解除される。本主題との関連において、ロードキャリア脚部からロック解除されるとは、ロードバーがロードキャリア脚部に対して少なくとも移動可能であることを意味する。従って、ロック部材は、ロック部材を移動させるためにロック部材と操作可能に連結され得る。操作部材は、ロック部材と直接的に連結され得、かつロック部材と一体的に形成さえされ得る。つまり、ロック部材は、操作部材の一部分であってもよい。一方で、操作部材は、適切な力伝達部材又は機構によって、ロック部材と直接的に連結され得る。
【００１７】
好ましくは、操作部材は、ユーザによって操作部材に加えられる解除力を、係合方向の反対の方向でロック部材に伝導するように構成されている。つまり、操作部材の操作は、係合力に逆らって作用する反力を発生させることにつながる。
【００１８】
好ましくは、ロック部材は、ロードバーと接触するように構成されかつ操作部材の第１部分に力伝達可能に連結された係合セクションを備えている。ロック部材は、ロードキャリア脚部の支持部材上でロック部材を回転可能に支持するように構成された支持セクションを備えることができる。ロック部材は、操作部材の第２部分に力伝達可能に連結された連結セクションを備えることができる。
【００１９】
ロック部材、特に、係合セクション、支持セクション及び連結セクションは、一体的に形成され得る。例えば、ロック部材は、シート金属を曲げることによって形成され得る。
【００２０】
係合セクションは、ロードバーにおける対応するセクションとの適切な係合を可能にするように具体的に設計され得る。例えば、係合セクションは、ロードバー上の表面と接触するための又はロードバーに形成された対応する凹部と係合するための歯を備えることができる。
【００２１】
さらに、係合セクションは、力伝導部材、例えば引っ張り部材を係合セクションに固定するための開口部を備えることができる。引っ張り部材は、プルロッドであり得る。開口部が支持セクションに設けられる場合、歯は、開口部の両側に、すなわちロードキャリア脚部の幅方向及びロードバーの幅方向において開口部の両側に配置され得る。さらに、歯の先端は、開口部の中間軸に対して略平行な方向に面するように、向けられ得る。係合セクションは、操作部材の第１部分に力伝達可能に連結される。例えば、係合セクションは、上述した力伝導部材により操作部材の第１部分に力伝達可能に連結され得る。このようにして、操作部材の移動により係合セクションに力、例えば引っ張り力を加えることが可能である。
【００２２】
ロードキャリア脚部の支持部材上でロック部材を回転可能に支持するために、支持セクションは、円弧形状に形成され得る。つまり、支持セクションは、湾曲部分もしくは弧状部分又はロードキャリア脚部の支持部材と接触させられ得るセクションを備えることができる。弧状部分は、弧状部分の曲率中心又は曲率中心軸周りで延在する内壁を備えている。スライド壁とも称され得る内壁は、ロードキャリア脚部の支持部材上の対応して湾曲とされた支持セクション上でスライド可能に支持され得る。このようにして、支持部材とロック部材との間のヒンジ連結が達成され得る。しかしながら、異なる方式でロック部材を支持部材にヒンジ連結することも可能である。例えば、ロック部材は、回動ピンにより支持部材に連結され、ロック部材が、回動ピン周りで回転させられ得る。支持部材は、ロードキャリア脚部の後方カバー、すなわち車両側に配置されるカバー又はロードキャリア脚部が車両に取り付けられたときに車両中心に向かって面するカバーであってもよい。ロードキャリア脚部は、車両ルーフに接触するためのかつ負荷を車両ルーフに伝導するための脚部パッドを備えることができる。支持部材、例えば後方カバーは、脚部パッド上で移動可能に、例えば回転可能に支持され得る。より正確には、支持部材の下方部分は、脚部パッドの上側で支持されるように具体的に設計され得る。さらに、支持部材は、ロードバーを支持するように構成され得る。つまり、支持部材の上方部分は、ロードバーを支持するように構成され得る。従って、支持部材は、ロードバーから受けた負荷を脚部パッドに伝導することができる。このようにして、ロードバーによってロードキャリア脚部に加えられる通常の力の大部分が、支持部材により脚部パッドに直接的に伝導される。この形態は、脚部パッドのみが、支持部材、例えば後方カバーからの力を受けるようになされ得る。
【００２３】
上述したように、ロック部材は、操作部材の第２部分に力伝達可能に連結され得る連結セクションを備えることができる。例えば、連結セクションは、操作部材の第２部分に直接的に力伝達可能に連結され得る。このために、連結セクションは、操作部材に設けられたフックとフック結合可能である凹部を備えることができる。フック及び凹部の逆の配置も可能である。このような形態により、好ましくは、第２方向における操作部材の移動により連結セクションに引っ張り力を加えることが可能である。
【００２４】
好ましくは、係合セクションは、ロードバーの内部に配置されるように構成され、かつロードバーの内面と係合するか又はロードバーの内面に圧力を加えるように構成されている。このために、ロック部材は、ロードバーがロードキャリア脚部に取り付けられるときにロードバーに形成された凹部を通って延在することができるように、ロードキャリア脚部上に配置され得る。係合セクションは、上述したように形成され、上述したロック部材の一体部であってもよい。係合セクションは、係合セクションと支持部材との間の距離が変化され得るように、構成される。ロック部材は、係合セクションが、支持部材上でのロック部材の位置又は向きから独立して、ロードバーの内部にあるままであるように、形成及び配置される。
【００２５】
好ましくは、ロック機構は、一端部において係合セクションに連結されかつ第２端部において操作部材の第１部分に連結された力伝導部材、好ましくはネジ山付きボルト又はネジを備えている。力伝導部材は、上述した引っ張り部材であってもよい。一方で、十分に高い引っ張り力を少なくとも伝導することができる任意の部材が、力伝導部材として適切に使用され得る。一例として、力伝導部材は、ネジ山付きロッドであり、ネジ山付きロッドは、ナットにより係合セクションに連結され、操作部材の内面上で支持されたヘッド部分を有する。
【００２６】
好ましくは、付勢部材は、力伝導部材の周りで巻かれたコイルバネである。例えば、コイルバネは、一端部が、ロードバーが支持される支持部材、例えばロードキャリア脚部の後方カバーの内面上で支持され、かつ一端部が、支持部材又は操作部材に接触して支持され得るように、構成されている。このようにして、支持部材及び力伝導部材は、係合セクションが、支持部材、例えば後方カバーに向かって引っ張られ、従ってロードバーの下方内壁と接触させられ、ロードバーの下方内壁を支持部材に押し付けるように、付勢される。つまり、係合セクションは、クランプ状態に向かってバネ付勢され、従ってクランプ状態に自動的に復帰する。
【００２７】
好ましくは、支持部材は、ロードバーの外面と接触するように構成された支持部分を備えている。支持部分及び係合セクションは、支持部分と係合セクションとの間でロードバーの壁部分を固定して保持するためのクランプセクションを形成することができる。支持部分は、係合セクションに面する支持面を備えることができる。つまり、ロードバーの壁部分は、支持面と係合セクションとの間に収容される。係合セクションは、ロードバーの壁部分を支持面に押し付けるために、支持面に向かって引っ張られるように予め張力をかけられる。
【００２８】
好ましくは、支持部材は、回動部分を備え、回動部分は、好ましくは略シリンダ形状を有し、かつ回転軸周りで回動可能に支持セクションを支持するように構成され、回動部分及び支持部分は、好ましくは一体的に形成される。
【００２９】
好ましくは、ロック機構は、ロック部材への係合力が増大させられる緊締状態(securing state)をとるようにさらに構成されている。従って、緊締状態は、クランプ力が増大させられるように追加的な力がロック部材に加えられる状態であってもよい。
【００３０】
好ましくは、ロードキャリア脚部は、ロードキャリア脚部を車両にクランプするためのクランプ機構をさらに備えている。クランプ機構は、クランプ機構を締め付けるときにロック部材への係合力が増大させられるように、ロック機構に操作可能に連結され得る。従って、ロック部材への係合力が増大させられる緊締状態は、クランプ機構の操作によって達成され得る。結果として、ロードキャリア脚部が車両上で確実にクランプされると、ロック機構は、緊締状態にあり、クランプ機構が解除されるまでこの状態のままである。
【００３１】
好ましくは、ロック機構は、ロック部材の移動がブロックされる緊締状態をとるようにさらに構成されている。あるいは又はさらに、ロック機構は、操作部材の移動がブロックされる緊締状態をとるように構成されている。従って、係合セクションがロードバーから係合解除される方向におけるロック部材又は操作部材の移動をロックすることによって緊締状態を提供することが可能である。
【００３２】
好ましくは、操作部材は、操作部分、好ましくは２つの操作部分を備えている。操作部分は、好ましくは、親指で操作するように構成された少なくとも１つの押圧面を備えている。一例によれば、操作部分は、２つの押圧面を備えている。操作部分は、ユーザが操作部分にアクセス可能であるようにかつ操作部分が被覆部以外のロードキャリア脚部のさらなる要素によってふさがれないように、一体的に形成され得る。例えば、ロードキャリア脚部は、ロードキャリア脚部を車両のルーフに固定するためのロードキャリアブラケットを備えることができる。さらに、ロードキャリア脚部は、このようなロードキャリアブラケットを保持するためのホルダを備えることができる。従って、操作部材は、ロードキャリアブラケットもホルダも操作部分へのアクセスをふさがないように、構成され得る。例えば、操作部材は、少なくとも１つの操作部分、好ましくは双方の操作部分が、側方に突出し、このため、ユーザが、ホルダ又はブラケットを親指が側方で通過することと、操作部分を押圧することと、によってそれら操作部分を操作することができるように、形成され得る。操作部分が側方に突出する方向は、ロードキャリア脚部の幅方向、すなわちロードキャリア脚部が車両に取り付けられたときのロードキャリア脚部上で支持されたロードバーの幅方向又は車両の長手方向である。
【図面の簡単な説明】
【００３３】
【図１】一実施形態によるロードキャリア脚部を備える組立体の側面図を示す。
【図２】図１の組立体の断面斜視図を示す。
【図３】図１のロードキャリア脚部の上方部分の拡大斜視図を示す。
【図４】ロードキャリア脚部のロック機構の構成要素の斜視図を示す。
【図５】図１の組立体の断面図を示す。
【図６】図１の組立体の構成要素の斜視図を示す。
【発明を実施するための形態】
【００３４】
以下では、本主題の一実施形態及び変形例が、図面を参照して説明される。図面中の同様の要素は、同じ参照符号で示されることに留意されたい。
【００３５】
図１は、一実施形態によるロードキャリア脚部２を備える組立体の側面図を示す。ロードバー３００は、ロードキャリア脚部２の上方部分上で支持されている。より正確には、ロードバー３００の外面３０２は、ロードキャリア脚部２の上方部分上で支持されている。さらに、ロードキャリアブラケット７００が、ロードキャリア脚部２内に挿入され、ロードキャリア脚部２内で固定して保持されている。ロードキャリア脚部２は、脚部パッド３をさらに備えている。脚部パッド３は、車両のルーフ上で支持されるように構成されている。図１にさらに示されるように、ロードキャリア脚部２は、前方カバー５及び後方カバー４を備え、前方カバー５及び後方カバー４は、ロードキャリア脚部２の内部機構を覆っている。
【００３６】
図２は、ロードバー３００と、ロードバー３００を支持するロードキャリア脚部２と、ロードキャリアブラケット７００と、を備えるロードキャリアの断面図を示す。ロードキャリア脚部２は、ロードキャリア脚部２上でロードバー３００をロックするための、より正確にはロードキャリア脚部２の支持部分４０２上でロードバー３００をクランプするためのロック機構２００を備えている。開示される形態では、支持部分４０２は、ロードキャリア脚部２の後方カバー４の一体部である。後方カバー４は、ロードバーを支持するための支持部材４００とも称され得る。支持部分４０２は、後方カバー４に形成された支持面４０６を備えている。従って、後方カバー４は、ロードバー３００を支持するための支持部として作用する。つまり、ロードバー３００は、後方カバー４の上方部分上で支持されている。後方カバー４は、脚部パッド３上で支持されている。より正確には、後方カバー４は、脚部パッド３と係合させられる連結部分４１を備えている。
【００３７】
ロック機構２００の構成要素は、例えば図４に示されている。ロック機構２００は、ロードバー３００と係合するように構成されたロック部材２０４を備えている。ロック部材２０４は、ロードバー３００と接触するように構成された係合セクション２０６と、回転軸Ａ周りで回動可能にロック部材２０４を支持するように構成された、円形に湾曲した支持セクション２０８と、連結セクション２１０と、を有するブラケットのような形状を備えている。係合セクション２０６及び連結セクション２１０は、ともに支持部材２０２に連結されている。支持部材２０２は、支持部材２０２の操作がロック部材２０４の移動につながるので、操作部材とも称され得る。
【００３８】
係合セクション２０６は、操作部材２０２の第１部分２１２に連結され、連結セクション２１０は、操作部材２０２の第２部分２１４に連結されている。第１部分２１２及び第２部分２１４は、回転軸Ａに対して略垂直な方向において互いに所定距離離間して配置される。
【００３９】
係合セクション２０６は、ロードバー３００の一部分、より正確には壁部分３０４の内壁と接触するように構成された歯付き部分２１８を備えている。係合セクション２０６は、本形態ではロッドとして実現された力伝導部材２１６により操作部材２０２の第１部分２１２に連結される。力伝導部材２１６は、回転軸Ａに対して斜めに配置されている。つまり、力伝導部材２１６は、回転軸Ａに対して垂直に延在し、回転軸Ａと交差しない。従って、ロック部材２０４、力伝導部材２１６及び操作部材２０２は、回転軸Ａ周りで閉ループを形成するように構成される。
【００４０】
図３に示されるように、後方カバー４は、ロードバー３００を支持するためかつロック部材２０４を支持するための支持部材４００である。後方カバー４は、支持面４０６を有する支持部分４０２を備えている。支持面４０６は、ロードバー３００の外面３０２を支持するために形成されている。本実施形態では、支持面４０６は、ロードキャリア脚部２が車両上で固定されているときに略水平に配置されるように、形成されている。
【００４１】
さらに、支持面４０６は、ガイドリッジ４０８の両側に配置された２つの部分面４０６ａ，４０６ｂによって形成され、ガイドリッジ４０８は、ロードバー３００の下方壁における長手溝３０６内に挿入されるように構成されている。ガイドリッジ４０８は、後方カバー４の一体部であり、部分面４０６ａ，４０６ｂの間で部分面４０６ａ，４０６ｂに対して略垂直な方向に突出する。
【００４２】
ガイドリッジは、２つのガイドリッジセクションを備えている。力伝導部材は、２つのガイドリッジセクションの間に設けられている。ガイドリッジ４０８は、ロードバー３００に形成された溝３０６の幅よりも小さい幅を有する。部分面４０６ａ，４０６ｂから所定距離には、突起４１０，４１２，４１４が、ガイドリッジ４０８上に設けられている。突起４１０，４１２，４１４は、部分面４０６ａ，４０６ｂに対して略平行に延在する。ロードバー３００の壁部分３０４は、突起と部分面との間のスペース内に収容され得る。従って、後方カバー４の上方部分は、ロードバー３００の長手溝３０６においてスライドするためのスライドシューとして構成されている。
【００４３】
支持部材４００は、回動部分４０４をさらに備えている。回動部分４０４は、ロック部材２０４の支持セクション２０８を回動可能に支持するためのシリンダ状支持面を備えている。回動部分４０４は、ガイドリッジセクションのうちの１つと一体的に形成されている。支持セクション２０８の内壁は、シリンダ状支持面上でスライド可能に支持されている。従って、回動部分４０４は、ヒンジの一部品を形成し、支持セクション２０８は、ヒンジの別の部品を形成する。この形態は、シリンダ状支持面の中心軸である回転軸Ａ周りでロック部材２０４を回転可能にさせる。つまり、ロック部材２０４は、シリンダ状支持面の周方向にスライド可能である。
【００４４】
図２及び図５に示されるように、付勢部材２０５が、力伝導部材２１６の周りで巻かれたコイルバネとして実現される。コイルバネの一端部、すなわち図面において上端部は、ロードキャリア脚部２の後方ケーシング４の内側支持部分４２０上で支持されている。内側支持部分４２０は、支持面４０６の反対側の後方ケーシング４の内部の部分である。コイルバネの他端部、すなわち図面において下端部は、力伝導部材２１６を固定するための開口部２２０の縁部の範囲において支持部材２０２上で支持されている。
【００４５】
コイルバネは、ロードバー３００から離れるように移動させるために操作部材２０２、従って力伝導部材２１６に予め張力をかける。つまり、コイルバネは、操作部材２０２、力伝導部材２１６及びロック部材２０４を回転軸Ａ周りで時計回り方向に促す。従って、係合セクション２０６は、ロードバー３００の内壁に向かって下向きに引っ張られ、ロードバー３００の下方壁部分３０４を支持面４０６に、すなわち部分支持面４０６ａ，４０６ｂにしっかりと押し付ける。この形態に起因して、通常はロックされた状態又はロック状態が、提供され、通常はロックされた状態又はロック状態は、コイルバネの促す力の反対の方向、すなわち図２及び図５において反時計回り方向に操作部材２０２を押すことのみによって解除され得る。従って、ロック機構２００は、ロードバーがロードキャリア脚部上でロックされるロック状態に自動的に復帰するように構成される。
【００４６】
操作部材２０２を操作するために、操作部材２０２は、親指で操作するように構成された押圧面２８２を備える２つの操作部分２８０を備えている。操作部分２８０は、ロードキャリア脚部２に設けられたホルダ６又はロードキャリアブラケット７００によってふさがれないように、一体的に形成されている。つまり、ロードキャリア脚部の操作側、すなわちロードキャリア脚部が車両に取り付けられたときにロードキャリア脚部２の外側からロードバー３００の長手方向で見ると、操作部分２８０は、図６から分かるようにホルダ６から側方に配置される。つまり、操作部分２８０は、ロードバー３００の幅方向においてホルダの横に配置される。
【００４７】
図２及び図５に示される形態では、ロードキャリア脚部は、クランプ機構８００をさらに備えている。クランプ機構８００は、ロック機構２００に操作可能に連結されており、このため、ロック機構２００におけるクランプ力は、クランプ機構８００を締め付けるときに増大させられる。
【００４８】
クランプ機構８００は、ホルダ６と、ホルダ６内に受容されたロードキャリアブラケット７００と、ロードキャリアブラケット７００を締め付けるためにホルダ６及び操作部材２０２を互いに対して移動させる締付力を発生させるように構成された締付機構５００と、を備えている。
【００４９】
ホルダ６は、操作部材２０２上で回動可能に保持され、締付機構５００により操作部材２０２の別の部分に力伝達可能に連結されている。締付機構５００は、締付部材８と、締付部材８から受けた力を操作部材２０２に伝導するように構成された力分配部材５１０と、を備えている。締付部材は、締付部材の回転が締付部材の長手軸に沿って力分配部材５１０を移動させるように、力分配部材５１０及びホルダ６に連結されている。従って、締付部材８を操作することによって、力分配部材５１０は、図面の左側に向かって引っ張られ、結果として、回転軸Ａ周りで時計回りに移動させるために操作部材２０２を押す。これは、続いて、力伝導部材を下向きに引っ張り、従って、係合セクション２０６に追加的な力を加える。従って、締付機構５００が締め付けられると、ロック機構２００は、ロック状態に移行され、ロック状態では、操作部材２０２の移動が力分配部材５１０によってブロックされるので、操作部材２０２の操作は可能ではない。
【符号の説明】
【００５０】
１  車両、２  ロードキャリア脚部、２００  ロック機構、２０２  操作部材、２０４  ロック部材、２０５  付勢部材、２０６  係合セクション、２０８  支持セクション、２１０  連結セクション、２１２  第１部分、２１４  第２部分、２１６  力伝導部材、２８０  操作部分、２８２  押圧面、３００  ロードバー、３０２  外面、３０４  壁部分、４００  支持部材、４０２  支持部分、４０４  回動部分、８００  クランプ機構、Ａ  回転軸
【図１】
2021506666.tif 000003
【図２】
2021506666.tif 000004
【図３】
2021506666.tif 000005
【図４】
2021506666.tif 000006
【図５】
2021506666.tif 000007
【図６】
2021506666.tif 000008
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
車両（１）上でロードバー（３００）を支持するためのロードキャリア脚部（２）であって、
前記ロードキャリア脚部（２）が、前記ロードバー（３００）を支持するための支持部材（４００）と、前記ロードキャリア脚部（２）上で前記ロードバー（３００）を解除可能にロックするためのロック機構（２００）と、を備え、前記ロック機構（２００）が、前記ロードバー（３００）が前記ロードキャリア脚部（２）上でロックされるロック状態に自動的に復帰するように構成され、前記ロック機構（２００）が、前記ロードバー（３００）と係合するように構成されたロック部材（２０４）と、前記ロック部材（２０４）に係合力を継続的に加えるための付勢部材（２０５）と、を備えており、前記ロック機構（２００）が、前記ロック機構（２００）を解除状態に移行するための操作部材（２０２）をさらに備え、前記解除状態では、前記ロードバー（３００）が、前記ロードキャリア脚部（２）からロック解除され、
（ｌ）  前記ロック部材（２０４）が、前記ロードバー（３００）と接触するように構成されかつ前記操作部材（２０２）の第１部分（２１２）に力伝達可能に連結された係合セクション（２０６）を備え、前記支持部材（４００）が、前記ロードバー（３００）の外面（３０２）と接触するように構成された支持部分（４０２）を備え、前記支持部分（４０２）及び前記係合セクション（２０６）が、前記支持部分（４０２）と前記係合セクション（２０６）との間で前記ロードバー（３００）の壁部分（３０４）を固定して保持するためのクランプセクションを形成し、かつ／又は
（ｌｌ）  前記ロック機構（２００）が、前記ロック部材（２０４）の移動又は前記操作部材（２０２）の移動がブロックされる緊締状態をとるように構成されていることを特徴とするロードキャリア脚部（２）。
【請求項２】
前記ロック部材（２０４）が、摩擦密着又はポジティブロックによって前記ロードバー（３００）と係合するように構成され、かつ／又は前記付勢部材（２０５）が、バネであることを特徴とする請求項１に記載のロードキャリア脚部（２）。
【請求項３】
前記ロック部材（２０４）が、回転軸（Ａ）周りで回転可能に支持され、前記回転軸（Ａ）が、前記ロードバー（３００）の長手延在方向に対して略垂直に配置され、好ましくは前記ロードバー（３００）の幅に沿って配置されていることを特徴とする請求項２に記載のロードキャリア脚部（２）。
【請求項４】
前記操作部材（２０２）が、ユーザによって前記操作部材（２０２）に加えられる解除力を、前記係合方向の反対の方向で前記ロック部材（２０４）に伝導するように構成されていることを特徴とする請求項１から３のいずれか一項に記載のロードキャリア脚部（２）。
【請求項５】
前記ロック部材（２０４）が、前記ロードキャリア脚部（２）の支持部材（４００）上で前記ロック部材（２０４）を回転可能に支持するように構成された支持セクション（２０８）と、前記操作部材（２０２）の第２部分（２１４）に力伝達可能に連結された連結セクション（２１０）と、を備えていることを特徴とする請求項４に記載のロードキャリア脚部（２）。
【請求項６】
前記係合セクション（２０６）が、前記ロードバー（３００）の内部に配置されるように構成され、かつ前記ロードバー（３００）の内面と係合するか又は前記ロードバー（３００）の前記内面に圧力を加えるように構成されていることを特徴とする請求項５に記載のロードキャリア脚部（２）。
【請求項７】
前記ロック機構（２００）が、一端部において前記係合セクション（２０６）に連結されかつ第２端部において前記第１部分（２１２）に連結された力伝導部材（２１６）、好ましくはネジ山付きボルト又はネジを備えていることを特徴とする請求項６に記載のロードキャリア脚部（２）。
【請求項８】
前記付勢部材（２０５）が、前記力伝導部材（２１６）の周りで巻かれたコイルバネであることを特徴とする請求項７に記載のロードキャリア脚部（２）。
【請求項９】
前記支持部材（４００）が、回動部分（４０４）を備え、前記回動部分（４０４）が、好ましくは略シリンダ形状を有し、かつ前記回転軸（Ａ）周りで回動可能に前記支持セクション（２０８）を支持するように構成され、前記回動部分（４０４）及び前記支持部分（４０２）が、好ましくは一体的に形成されていることを特徴とする請求項５から８のいずれか一項に記載のロードキャリア脚部（２）。
【請求項１０】
前記ロック機構（２００）が、前記ロック部材（２０４）への前記係合力が増大させられる緊締状態をとるようにさらに構成されていることを特徴とする請求項２から９のいずれか一項に記載のロードキャリア脚部（２）。
【請求項１１】
前記ロードキャリア脚部（２）が、前記ロードキャリア脚部（２）を前記車両（１）にクランプするためのクランプ機構（８００）をさらに備え、前記クランプ機構（８００）が、前記クランプ機構（８００）を締め付けるときに前記ロック部材（２０４）への前記係合力が増大させられるように、前記ロック機構（２００）に操作可能に連結されることを特徴とする請求項１０に記載のロードキャリア脚部（２）。
【請求項１２】
前記操作部材（２０２）が、操作部分（２８０）を備え、前記操作部分（２８０）が、親指で操作するように構成された少なくとも１つの押圧面（２８２）、好ましくは２つの押圧面を好ましくは備えることを特徴とする請求項１から１１のいずれか一項に記載のロードキャリア脚部（２）。
【国際調査報告】
2021506666.tif 000009
2021506666.tif 000010
2021506666.tif 000011